(57)【特許請求の範囲】
【請求項１】
分割可能なスリーブ（５０）の軸線方向両端部で光ファイバケーブル（５１）を把持するとともに、その内部で光ファイバケーブルから導出した光ファイバ（５４）を分岐接続する光ファイバケーブル用接続端子函（２０）であって、
スリーブ軸線方向両端部において前記光ファイバケーブルを把持する把持金具（５２）と、スリーブ軸線方向に沿って延在し、前記把持金具同士を連結する連結板（５３）と、該連結板上にて前記連結板のスリーブ軸線方向中央部に設置され、光ファイバケーブルから導出した光ファイバが配線される配線部（５５）と、該配線部の両側部に対向配置され、光ファイバの光接続部（５６）およびその接続余長（５７）を収納する光接続部収納トレー（５８）を複数積層状態に保持する一対のトレー収納部（５９）とを備え、
前記配線部は両側のトレー収納部の間に確保されて該配線部に配線された光ファイバとトレー収納部との干渉を回避でき、
各トレー収納部は、前記連結板の幅方向両端部に設置された回動支持具（２１）によって、前記スリーブの中心軸線と平行な軸線を以て回動自在に支持され、前記トレー収納部を外側に回動することで前記配線部が平面視露出するようになっていることを特徴とする光ファイバケーブル用接続端子函。
【請求項２】
前記配線部の複数箇所に、光ファイバを連結板に支持するための支持具（６１）が設けられていることを特徴とする請求項１記載の光ファイバケーブル用接続端子函。
【請求項３】
前記回動支持具は、連結板に固定された支持具本体（２２）と、ヒンジ（２３）を介して前記支持具本体に相対回動自在に設けられ、トレー収納部を支持するトレー収納部支持体としての支持板（２４）と、この支持板の前記スリーブ軸線方向の端面から突出されたピン（２７）の、前記支持具本体に形成されているガイド溝（２８）を貫通して突出された先端のネジ螺着部（２９）に螺着され、前記支持板の支持具本体に対する相対回動を許可、規制可能な操作ネジ（２５）とを備えていることを特徴とする請求項１又は２記載の光ファイバケーブル用接続端子函。
【請求項４】
前記配線部は、連結板において各回動支持具の支持板が当接される一対の支持板当接領域（６０）の間の領域であることを特徴とする請求項３記載の光ファイバケーブル用接続端子函。
【請求項５】
前記連結板上の、前記配線部のスリーブ軸線方向両端部には、光ファイバを前記配線部及び各光接続部収納トレーに振り分け配線するための振り分け部（６２）が設置されていることを特徴とする請求項１〜４のいずれかに記載の光ファイバケーブル用接続端子函。
【発明の詳細な説明】
【０００１】
【発明の属する技術分野】
本発明は、内部において光ファイバケーブルから導出した光ファイバを分岐接続する光ファイバケーブル用接続端子函に関する。
【０００２】
【従来の技術】
図３および図４は、従来の光ファイバケーブル用接続端子函であって、二つ割りに分割可能な円筒状スリーブ１の軸線方向両端部にそれぞれ設置した把持金具２によって光ファイバケーブル３を把持するとともに、把持した一対の光ファイバケーブル３のそれぞれから導出した光ファイバ４を光接続部５を介して接続し、光接続部５およびその接続余長６を薄板状に形成された複数枚の光接続部収納トレー７内に整理して収納している。前記光接続部収納トレー７は、スリーブ１中央部に２基並列に設置した支持金具８のそれぞれのトレー支持板９上に積層され、支持金具８によってトレー支持板９とともにスリーブ１の軸線と平行な軸線を以て回動自在に支持されるようになっている。
【０００３】
前記支持金具８は、図４および図５に示すように、スリーブ１軸方向両端の把持金具２間を連結する連結板１０に固定された支持金具本体１１と、前記トレー支持板９と、支持金具本体１１のスリーブ１の側部に臨む側板１２に設けられ、トレー支持板９をスリーブ１の軸線と平行な軸線を以て回動自在に支持するヒンジ１３と、トレー支持板９の回動を規制可能な規制金具１４とを備えている。規制金具１４は、ネジ１５の締め付け力によって側板１２に対して着脱されるようになっている。支持金具本体１１に装着された規制金具１４の上部は、ヒンジ１３から突出されたトレー支持板９の当接部１６が当接されることにより、トレー支持板９の回動を一定の範囲に規制するようになっている。また、支持金具８は、規制金具１４を支持金具本体１１から離脱しておけば、トレー支持板９を自由に回動することができるようになっている。
【０００４】
積層状態の各光接続部収納トレー７相互間は、図示しない回動連結手段によってヒンジ１３の回動軸線と平行な軸線を以て相対回動可能に連結されている。光接続部５としては、光コネクタ等が適用される。光コネクタにおいて光ファイバ４の接続切り替え等を行うために目的の光接続部収納トレー７について作業を行う場合には、ヒンジ１３を中心とする光接続部収納トレー７の回動と回動連結手段を中心とする光接続部収納トレー７相互の回動とを利用して目的の光接続部収納トレー７の作業面を露出させる。
また、光接続部収納トレー７をスリーブ１内に収納する時には、バンド１７を巻き付けてトレー支持板９とともに一体的に固定する（図６参照）。
【０００５】
光ファイバケーブル３の端末から導出された光ファイバ４は、直接光接続部収納トレー７に導入されるか、連結板１０の下方を経由して目的の光接続部収納トレー７に導入される。
【０００６】
【発明が解決しようとする課題】
ところで、前記のような光ファイバケーブル用接続端子函の場合、連結板１０の下方を経由して配線した光ファイバ４の配線長が長くなり、例えば光ファイバケーブル用接続端子函を架空ケーブルに設置した場合等には、連結板１０の下方に配線した光ファイバ４にスリーブ１の振動が伝達されて光信号の伝送に影響を与える可能性があるといった問題があった。また、光接続部収納トレー７において、光ファイバ４の接続切り替え等の作業を行う場合には、連結板１０の下方から光ファイバ４を引き出す必要が生じて、作業が大変であった。
また、連結板１０の下方に光ファイバ４を配線した場合には、配線スペースが連結板１０とスリーブ１の天井部１ａとの間の離間寸法を圧縮して光接続部収納トレー７の積層数が減少するので、対応できる光ファイバケーブル３の心数が減少するといった問題が生じる。
【０００７】
本発明は、前述の課題に鑑みてなされたもので、光信号の伝送の信頼性が向上するとともに、より多心の光ファイバケーブルの接続に対応することができる光ファイバケーブル用接続端子函を提供することを目的とするものである。
【０００８】
【課題を解決するための手段】
本発明の光ファイバケーブル用接続端子函では、前記課題を解決するため、分割可能なスリーブの軸線方向両端部で光ファイバケーブルを把持するとともに、その内部で光ファイバケーブルから導出した光ファイバを分岐接続する光ファイバケーブル用接続端子函であって、スリーブ軸線方向両端部において前記光ファイバケーブルを把持する把持金具と、スリーブ軸線方向に沿って延在し、前記把持金具同士を連結する連結板と、該連結板上にて前記連結板のスリーブ軸線方向中央部に設置され、光ファイバケーブルから導出した光ファイバが配線される配線部と、該配線部の両側部に対向配置され、光ファイバの光接続部およびその接続余長を収納する光接続部収納トレーを複数積層状態に保持する一対のトレー収納部とを備え、前記配線部は両側のトレー収納部の間に確保されて該配線部に配線された光ファイバとトレー収納部との干渉を回避でき、各トレー収納部は、前記連結板の幅方向両端部に設置された回動支持具によって、前記スリーブの中心軸線と平行な軸線を以て回動自在に支持され、前記トレー収納部を外側に回動することで前記配線部が平面視露出するようになっていることを前記課題の解決手段とした。
請求項２に係る発明は、前記配線部の複数箇所に、光ファイバを連結板に支持するための支持具が設けられていることを特徴とする請求項１記載の光ファイバケーブル用接続端子函を提供する。
請求項３に係る発明は、前記回動支持具は、連結板に固定された支持具本体と、ヒンジを介して前記支持具本体に相対回動自在に設けられ、トレー収納部を支持するトレー収納部支持体としての支持板と、この支持板の前記スリーブ軸線方向の端面から突出されたピンの、前記支持具本体に形成されているガイド溝を貫通して突出された先端のネジ螺着部に螺着され、前記支持板の支持具本体に対する相対回動を許可、規制可能な操作ネジとを備えていることを特徴とする請求項１又は２記載の光ファイバケーブル用接続端子函を提供する。
請求項４に係る発明は、前記配線部は、連結板において各回動支持具の支持板が当接される一対の支持板当接領域の間の領域であることを特徴とする請求項３記載の光ファイバケーブル用接続端子函を提供する。
請求項５に係る発明は、前記連結板上の、前記配線部のスリーブ軸線方向両端部には、光ファイバを前記配線部及び各光接続部収納トレーに振り分け配線するための振り分け部が設置されていることを特徴とする請求項１〜４のいずれかに記載の光ファイバケーブル用接続端子函を提供する。
【０００９】
【発明の実施の形態】
以下本発明の光ファイバケーブル用接続端子函の実施の形態を、図１および図２を参照して説明する。
図中符号２０は、本実施の形態の光ファイバケーブル用接続端子函である。なお、図中、図３から図６と同一の構成部分には同一の符号を付し、その説明を簡略化する。
本実施の形態の光ファイバケーブル用接続端子函２０は、図１および図２に示すように、分割可能に構成され防水性を有する円筒状スリーブ５０と、スリーブ５０軸線方向両端部において光ファイバケーブル５１を把持する把持金具５２と、スリーブ５０軸線方向に沿って延在し、前記把持金具５２同士を連結する連結板５３と、該連結板５３のスリーブ５０軸線方向中央部に設置され、光ファイバケーブル５１から導出した光ファイバ５４が配線される配線部５５と、該配線部５５の両側部に対向配置され、光ファイバ５４の光接続部としての光コネクタ５６およびその接続余長５７を収納する光接続部収納トレー５８を複数積層状態に保持する一対のトレー収納部５９とを備えている。
【００１０】
各トレー収納部５９は、連結板５３の幅方向（図２上下方向）両端部に設置された回動支持具２１によって、スリーブ５０の中心軸線と平行な軸線を以て回動自在に支持されている。
前記回動支持具２１は、連結板５３に固定された支持具本体２２と、ヒンジ２３を介して該支持具本体２２に相対回動自在に設けられ、トレー収納部５９を支持するトレー収納部支持体としての支持板２４と、トレー収納部５９からスリーブ５０軸線方向に突設され、前記支持板２４の支持具本体２２に対する相対回動を許可、規制可能な操作ネジ２５とを備えている。
【００１１】
前記支持板２４は、平面視、細長長方形板状の部材であって、スリーブ５０の軸線方向に平行に配置されている。前記支持具本体２２は、図２に示すように、連結板５３に固定されたＬ字状の部材であって、一側が連結板５３に沿って配置され、他側がスリーブ５０の直径方向の外周部に臨む連結板５３の端部から上方に向けて突出されている。支持具本体２２のＬ字の屈曲部２６の内面側には、前記ヒンジ２３が配置されている。このヒンジ２３の回動軸線は、スリーブ５０の軸線と平行とされている。支持具本体２２のＬ字の屈曲部２６には、支持板２４のスリーブ５０軸線方向の側面に突出されたピン２７が移動可能に挿入されるガイド溝２８が形成されている。このガイド溝２８は、支持板２４の回動に伴うピン２７の回動軌跡に沿って形成されている。
【００１２】
前記ピン２７の先端は、ガイド溝２８を貫通してスリーブ５０軸線方向に突出するようになっている。ガイド溝２８から突出したピン２７の先端には、前記操作ネジ２５が螺着可能な図示しないネジ螺着部２９が形成されている。このネジ螺着部２９は、平面視、トレー収納部５９からスリーブ５０軸線方向に突出している。したがって、ネジ螺着部２９に螺着した操作ネジ２５は、平面視トレー収納部５９から露出するようになっている。操作ネジ２５は、ネジ螺着部２９先端に締め付けたり締め付けを解除することにより、支持板２４との間で支持具本体２２を挟持、挟持解除して、支持板２４の回動を規制、規制解除する固定機構を前記ピン２７とともに構成し、かつ該固定機構を操作可能な操作ハンドルとして機能するようになっている。
【００１３】
前記支持板２４は、前記ガイド溝２８にガイドされることにより、連結板５３上面からヒンジ２３の回動軸線の軸回りに約４５度回動することが許容されている。この支持板２４は、前記光接続部収納トレー５８よりやや小さく形成されている。
前記配線部５５は、図１に示すように、連結板５３において支持板２４が当接される一対の支持板当接領域６０の間の領域である。この配線部５５は、両支持板２４、２４を前記支持板当接領域６０に当接させた際に、連結板３３と両支持板２４、２４とで概略囲繞されるようになっている。したがって、配線部５５は、支持板２４を外方に回動した際に、平面視露出するようになっている。また、配線部５５には、光ファイバ５４を連結板５４に対して安定に支持するための支持具６１がその複数箇所に設置されている。
【００１４】
配線部５５のスリーブ５０軸線方向両端部には、光ファイバ５４を該配線部５５や各光接続部収納トレー５８に振り分け配線するための振り分け部６２が設置されている。振り分け部６２も連結板５３上に在るので、振り分け部６２に配線される光ファイバ５４は、連結板５３上に配線され、連結板５３の下方に突出することは無い。光ファイバケーブル５１から導出した光ファイバ５４は、全て振り分け部６２を経由して目的方向に配線される。配線部５５と光接続部収納トレー５８との間に配線した光ファイバ５４は、光接続部収納トレー５８のスリーブ５０軸線方向の端部の湾曲壁６３外面によって湾曲半径が確保されるようになっている。この湾曲壁６３は、光ファイバケーブル５１から直接光接続部収納トレー５８に配線される光ファイバ５４の湾曲も維持することができるようになっている。
なお、振り分け部６２には、別途、光ファイバ５４の湾曲半径を維持する半径維持部材や光ファイバ５４を連結板５３に引き留める引留具を設置するようにしてもよい。
【００１５】
二つの回動支持具２１の内の一方には、トレー収納部支持体として光接続部収納トレー５８と同等の外面形状に形成されたカプラ収納トレー３０を適用している（図２参照）。このカプラ収納トレー３０は、上面上に複数の光接続部収納トレー５８を積層状態に支持し、これら光接続部収納トレー５８とともに積層構造を構成するようになっている。
【００１６】
以下、本発明の光ファイバケーブル用接続端子函２０の作用および効果を説明する。
前記光ファイバケーブル用接続端子函２０は、所定位置に設置する場合には、両支持板２４を連結板５３に当接状態とし、両トレー収納部５９に積層した光接続部収納トレー５８と連結板５３とをこれらの外側に卷装した図示しないバンドで一体的に結束する。目的の光接続部収納トレー５８において光コネクタ５６の接続切り替え等の作業を行う場合には、スリーブ５０およびバンドを取り外し、操作ネジ２５を緩めて支持板２４をヒンジ２３の軸回りに回動して光ファイバケーブル用接続端子函２０の外側に移動する。こうすることにより、回動した支持板２４に支持されている全ての光接続部収納トレー５８が露出する。
【００１７】
操作ネジ２５は、平面視、支持板２４およびこの支持板２４上のトレー収納部５９からスリーブ５０軸線方向に突出して露出しているので、その位置が分かりやすく、しかも、光接続部収納トレー５８の回動を目視しつつ操作することができる。また、ピン２７がガイド溝２８に挿通状態のまま移動するので、これらピン２７のネジ螺着部２９、３２に操作ネジ２５を螺着することにより、支持板２４をその回動軌跡の任意位置で固定することができる。加えて、配線部５５と光接続部収納トレー５８との間に配線した光ファイバ５４が湾曲壁６３に沿って配線されるので、操作ネジ２５の操作に光ファイバ５４が干渉することが防止される。
【００１８】
支持板２４を適切量回動したら操作ネジ２５を締め付けて、支持板２４の回動を規制し、目的の光接続部収納トレー５８を隣接して積層されている光接続部収納トレー５８と分離して作業面を開放する。こうすることにより、目的の光接続部収納トレー５８の作業面を作業性が確保できる角度に保持したまま作業を行うことができる。
また、光接続部収納トレー５８の作業面の角度を調整する場合には、操作ネジ２５を緩めて支持板２４を適切量回動し、再度操作ネジ２５を締め付ける。
この際、配線部５５に配線した光ファイバ５４を配線部５５から引き出す必要がある場合には、トレー収納部５９を外側に回動した際に配線部５５が平面視露出するようになっているので、目的の光ファイバ５４を目視して引き出し作業を行うことができる。
【００１９】
したがって、本発明の光ファイバケーブル用接続端子函２０によれば、光ファイバ５４を配線部５５に配線したことにより、スリーブ１の振動が光ファイバ５４に伝達されないので、光信号の伝送の信頼性が向上する。また、配線部５５は、連結板５３上に在り、トレー収納部５９を外側に回動した際に平面視露出するようになっているので、光ファイバ５４の配線や目的の光ファイバ５４の引き出しが容易であるとともに、トレー収納部５９と干渉しないようになっているので、光接続部収納トレー５８の積層数を増加することができる。
【００２０】
【発明の効果】
以上説明したように、本発明の光ファイバケーブル用接続端子函によれば、スリーブ軸線方向両端部において光ファイバケーブルを把持する把持金具と、スリーブ軸線方向に沿って延在し、前記把持金具同士を連結する連結板と、該連結板のスリーブ軸線方向中央部に設置され、光ファイバケーブルから導出した光ファイバが配線される配線部と、該配線部の両側部に対向配置され、光ファイバの光接続部およびその接続余長を収納する光接続部収納トレーを複数積層状態に保持する一対のトレー収納部とを備え、光ファイバがスリーブの振動の影響を受けることを防止するようにしたので、光信号の伝送の信頼性が向上する。また、配線部が、トレー収納部を外側に回動した際に平面視露出するようになっているので、光ファイバの配線や目的の光ファイバの引き出しが容易であるとともに、トレー収納部と干渉しないので光接続部収納トレーの積層数を増加することができ、より多心の光ファイバケーブルの接続に対応することができるといった優れた効果を奏する。
【図面の簡単な説明】
【図１】  本発明の光ファイバケーブル用接続端子函の実施の形態を示す平面図である。
【図２】  図１の光ファイバケーブル用接続端子函を示す側面図である。
【図３】  従来例の光ファイバケーブル用接続端子函を適用した光ファイバケーブル用接続端子函を示す平面図である。
【図４】  図３の光ファイバケーブル用接続端子函を示す側面図である。
【図５】  図３の光ファイバケーブル用接続端子函の支持金具を示す拡大斜視図である。
【図６】  図３の光ファイバケーブル用接続端子函を示す正面図である。
【符号の説明】
２０…光ファイバケーブル用接続端子函、５０…スリーブ、５１…光ファイバケーブル、５２…把持金具、５３…連結具、５４…光ファイバ、５５…配線部、５６…光接続部（光コネクタ）、５７…接続余長、５８…光接続部収納トレー、５９…トレー収納部。
【図１】
0003778987.tif 000002
【図２】
0003778987.tif 000003
【図３】
0003778987.tif 000004
【図４】
0003778987.tif 000005
【図５】
0003778987.tif 000006
【図６】
0003778987.tif 000007